(57)【特許請求の範囲】
【請求項１】
ケーブルを覆うケーブルカバーであって、
前記ケーブルの長手方向における前記ケーブルカバーの一端に設けられ、前記ケーブルに巻装される第１巻装部と、
前記ケーブルの長手方向における前記ケーブルカバーの他端に設けられ、前記ケーブルが定着される定着部に巻装される第２巻装部と、
前記第１巻装部から前記第２巻装部にかけて、前記ケーブルの長手方向に沿って配置される蛇腹部と、
前記ケーブルカバーの前記一端から前記他端にかけて前記ケーブルの周方向で分割され、前記ケーブルカバーの外側に突出した状態で互いに重ね合わされて固定される一対の重合部と、を有し、
前記重合部のうちの前記蛇腹部に対応した領域は、前記ケーブルの長手方向に沿って波形形状に形成されていることを特徴とするケーブルカバー。
【請求項２】
前記一対の重合部のうちの一方の前記重合部は、前記蛇腹部に対応した領域において、他方の前記重合部に向かって突出する突条を有し、
前記他方の重合部は、前記突条と対向する位置において、前記突条に沿って形成された溝を有することを特徴とする請求項１に記載のケーブルカバー。
【請求項３】
前記突条が前記一対の重合部のそれぞれに形成されているとともに、前記溝が前記一対の重合部のそれぞれに形成されており、
前記各重合部に形成された前記突条および前記溝は、前記重合部の突出方向において互いに異なる位置に形成されていることを特徴とする請求項２に記載のケーブルカバー。
【請求項４】
前記蛇腹部は、前記ケーブルの長手方向において交互に配置された２つの傾斜部によって構成されており、
前記一対の重合部は、一方の前記傾斜部に対応した領域において、締結部材によって固定されることを特徴とする請求項１から３のいずれか１つに記載のケーブルカバー。
【請求項５】
前記第１巻装部は、前記ケーブルの外面と対向する内面において、前記ケーブルの外周面と密着する突条を有する、及び／又は、前記第２巻装部は、前記定着部の外面と対向する内面において、前記定着部の外面と密着する突条を有することを特徴とする請求項１から４のいずれか１つに記載のケーブルカバー。
【請求項６】
前記重合部から突出し、前記ケーブルカバーの外面から水を落下させる水切り部を備えていることを特徴とする請求項１から５のいずれか１つに記載のケーブルカバー。
【発明の詳細な説明】
【技術分野】
【０００１】
本発明は、ケーブルを一端側で覆い、ケーブルの定着部を他端側で覆うケーブルカバーに関する。
【背景技術】
【０００２】
斜張橋，エクストラドーズド橋，アーチ橋，桁橋の斜材ケーブルや外ケーブル及び吊材ケーブルの定着部は、ケーブルカバーで被覆されている。下記の特許文献１では、ケーブルの端部を定着用の鋼管に挿入して固定し、鋼管を桁に定着させている。鋼管とケーブルとの連結箇所には、上端側から下端側にかけて徐々に拡径した筒状のケーブルカバーが装着されている。ケーブルカバーは、上端側をケーブルに被せると共に下端側を鋼管に被せている。
【先行技術文献】
【特許文献】
【０００３】
【特許文献１】特開平１０−２９８９１９号公報
【発明の概要】
【発明が解決しようとする課題】
【０００４】
この種のケーブルカバーは、ケーブルが鋼管に挿入された状態では装着できないことから、ケーブルカバーを交換するにはケーブルを鋼管から一旦抜き出さなければならなかった。このため、ケーブルカバーの交換に手間がかかり、また、ケーブルカバーを交換できない場合もあった。
また、この種のケーブルカバーは、ゴム製又は軟質合成樹脂製であることから、ケーブルの変位，変形，振動等に伴い変形したり、防水カバーが損傷することで、切断箇所同士の重ね合せ部分や、ケーブルと上端開口部との隙間から雨水が浸入したりする虞があった。
【０００５】
本発明の目的は斯かる課題に鑑みてなされたもので、ケーブルが鋼管に挿入された状態でも交換できるケーブルカバーを提供することである。
また、本発明の目的は、定着部への雨水の浸入を効果的に防止できる防水カバーを提供することである。
【課題を解決するための手段】
【０００６】
このような目的を達成するために、本発明は、ケーブルを覆うケーブルカバーであって、第１巻装部と、第２巻装部と、蛇腹部と、一対の重合部とを有する。第１巻装部は、ケーブルの長手方向におけるケーブルカバーの一端に設けられ、ケーブルに巻装される。第２巻装部は、ケーブルの長手方向におけるケーブルカバーの他端に設けられ、ケーブルが定着される定着部に巻装される。蛇腹部は、第１巻装部から第２巻装部にかけて、ケーブルの長手方向に沿って配置される。一対の重合部は、ケーブルカバーの一端から他端にかけてケーブルの周方向で分割され、ケーブルカバーの外側に突出した状態で互いに重ね合わされて固定される。ここで、重合部のうちの蛇腹部に対応した領域は、ケーブルの長手方向に沿って波形形状に形成されている。
一方の重合部のうち、蛇腹部に対応した領域には、他方の重合部に向かって突出する突条を設けることができる。他方の重合部には、突条と対向する位置において、突条に沿って形成された溝を設けることができる。
突条を一対の重合部のそれぞれに形成するとともに、溝を一対の重合部のそれぞれに形成することができる。ここで、各重合部に形成された突条および溝は、重合部の突出方向において互いに異なる位置に形成されている。
蛇腹部は、ケーブルの長手方向において交互に配置された２つの傾斜部によって構成することができる。ここで、一対の重合部は、一方の傾斜部に対応した領域において、締結部材によって固定することができる。
ケーブルの外周面と対向する第１巻装部の内面には、ケーブルの外面と密着する突条を設けることができる。定着部の外面と対向する第２巻装部の内面には、定着部の外面と密着する突条を設けることができる。
重合部には、重合部から突出し、ケーブルカバーの外面から水を落下させる水切り部を設けることができる。
【発明の効果】
【０００７】
本発明によれば、ケーブル及び定着部に交換してケーブルを装着できるので、ケーブルが定着部に定着された状態でもケーブルカバーを交換できる。
また、本発明によれば、ケーブルの伸縮，振動，及び回転に追従することで、定着部への雨水の浸入を効果的に防止できる
【図面の簡単な説明】
【０００８】
【図１】本発明の一実施形態のケーブルカバーが定着用鋼管に装着された状態を示す断面図である。
【図２】ケーブルカバーを示す図であり、（ａ）は（ｂ）のＡ−Ａ矢視断面図，（ｂ）は第１の側面図，（ｃ）は（ｂ）と直交する方向から見た第２の側面図，（ｄ）は（ｂ）のＢ−Ｂ矢視断面図である。
【図３】ケーブルカバーの軸心に沿った断面での断面図である。
【図４】（ａ）は縮径側端部を拡大して示す側面図，（ｂ）は拡径側端部を拡大して示す側面図である。
【図５】目開き防止突条と目開き防止溝とが噛み合わされた状態を示す図であり、（ａ）は図２（ａ）の枠Ｃ内を拡大して示す断面図，（ｂ）は（ｂ）のＤ−Ｄ矢視断面図である。
【図６】重合部の開閉部間に目開きが生じた状態を示す図であり、（ａ）は図２（ａ）の枠Ｃ内を拡大して示す断面図，（ｂ）は（ｂ）のＥ−Ｅ矢視断面図である。
【発明を実施するための最良の形態】
【０００９】
以下、図面を参照して、本発明の最良の形態を説明する。
図１は、本実施形態のケーブルカバー２が定着用鋼管１４に装着された状態を模式的に示す図である。図２は、ケーブルカバー２を示す図である。図３は、ケーブルカバー２の軸心に沿った断面図である。
【００１０】
図１に示すように、ケーブルカバー２は、斜張橋等の桁１１が備える定着用鋼管１４に装着される。定着用鋼管１４には、塔等と桁１１との間に張設されたケーブル１２の下端部が挿通されて、定着されている。定着用鋼管１４は、ケーブル１２の張設傾斜角度と同じ角度だけ傾斜して、桁１１に固着されている。ケーブルカバー２は、定着用鋼管１４の上端部をケーブル１２と共に覆っている。
【００１１】
図２，３に示すように、ケーブルカバー２は、筒体の周壁を周方向の１箇所で縮径端から拡径端にかけて軸心方向に沿って切断した形状の本体３と、切断された本体３の両分割部３Ａから本体３の外側に延びた一対の重合部４とを備えており、ゴムや軟質合成樹脂で形成されている。
【００１２】
本体３は、縮径端側から拡径端側にかけて徐々に拡径した蛇腹部３１と、蛇腹部３１の縮径端から同径を保って縮径方向に延びた縮径巻装部（本発明の第１巻装部に相当する）３２と、蛇腹部３１の拡径端から同径を保って拡径方向に延びた拡径巻装部（本発明の第２巻装部に相当する）３３とを備えている。蛇腹部３１は、縮径端に向けて縮径した縮径部（本発明の傾斜部に相当する）３１ｂと、縮径端に向けて拡径した拡径部（本発明の傾斜部に相当する）３１ａとを、縮径端側から拡径端側にかけてこの順序で交互に並べた構成を有しており、軸心方向への伸縮及び径方向への屈曲を自在に形成されている。縮径巻装部３２及び拡径巻装部３３の内面には、周方向に沿って環状に延びた止水用突条３２ａ，３２ｂが複数備えられている。
【００１３】
分割部３Ａは、縮径巻装部３２及び拡径巻装部３３では、本体３の軸心に沿って直線状に延びている。また、分割部３Ａは、蛇腹部３１では拡径部３１ａで右回り方向に向けて斜めに延び、縮径部３１ｂで左回り方向に向けて斜めに延びた波形形状を呈して、本体３の軸心方向に沿って延びている。
【００１４】
重合部４は、本体３の縮径端から拡径端に亘って分割部３Ａから延びている。重合部４は、拡径部３１ａから延びた開閉部４１ａと、縮径部３１ｂから延びた固着部４１ｂとが、縮径端側から拡径端側にかけて先端面４Ａを分割部３Ａと同様に波形形状に屈曲させながら、本体３の軸心方向に沿って延びている。
【００１５】
重合部４は、縮径巻装部３２から延びた縮径側端部４２ａ、及び、拡径巻装部３３から延びた拡径側端部４３ａに、本体３の周方向に重合部４を貫通した挿通孔４２ｂ，４３ｂを備えている。また、図４に拡大して示すように、縮径側端部４２ａ及び拡径側端部４３ａの先端面４Ａには、ケーブルカバー２の外面から水を落下させる水切り用突起４４，４４が設けられている。
【００１６】
縮径側端部４２ａ及び拡径側端部４３ａには、支圧板５が埋設されている。また、固着部４１ｂにも、縮径側端部４２ａ及び拡径側端部４３ａと同様に、支圧板５が埋設されている（不図示）。両重合部４の縮径側端部４２ａ、拡径側端部４３ａ、及び固着部４１ｂには、支圧板５を通って重合部４を貫通する貫通孔が形成されている。
【００１７】
図５及び図６に示すように、重合部４が備える開閉部４１ａの内面には、本体３の軸心方向に沿って延びた目開き防止突条４５Ａ及び目開き防止溝４５Ｂが設けられている。一方の重合部４が備える目開き防止突条４５Ａは、他方の重合部４が備える目開き防止溝４５Ｂと対向する位置に設けられている。
【００１８】
このような構成を有したケーブルカバー２は、本体３の分割部３Ａを開いて両分割部３Ａ間から本体３内にケーブル１２及び定着用鋼管１４の上端部を挿入し、縮径巻装部３２をケーブル１２に巻装され、拡径巻装部３３を定着用鋼管１４に巻装される。このとき、両重合部４は、開閉部４１ａが備えた目開き防止突条４５Ａと目開き防止溝４５Ｂとを互いに噛み合わせている。
【００１９】
その後、両重合部４が桁１１側（下側）を向いた状態で、両固着部４１ｂの貫通孔に挿通されたボルトにナットが螺着されることで、重ね合わされた固着部４１ｂ同士が固着される。また、縮径巻装部３２及び拡径巻装部３３の外面には、挿通孔４２ｂ，４３ｂを通してバンド（不図示）が緊締される。これにより、止水用突条３２ａは、縮径巻装部３２が巻装されたケーブル１２の外周面に先端面を密着させる。また、止水用突条３２ｂは、拡径巻装部３３が巻装された定着用鋼管１４の外周面に先端面を密着させる。また、水切り用突起４４は、先端を桁１１側（下側）に向けた状態となる。
【００２０】
ケーブル１２に付着した雨水等の水は、ケーブル１２を伝ってケーブルカバー２の縮径端まで移動してくるが、縮径巻装部３２の内面に設けられた止水用突条３２ａにより、蛇腹部３１側への浸入が阻止される。また、ケーブルカバー２や定着用鋼管１４の外面から拡径巻装部３３の内側に浸入してきた雨水等の水は、拡径巻装部３３の内面に設けられた止水用突条３２ｂで、蛇腹部３１側への浸入を阻止される。
【００２１】
また、ケーブルカバー２の外面を伝って重合部４の先端面４Ａまで移動してきた水は、縮径巻装部３２及び拡径巻装部３３の水切り用突起４４から落下し、重合部４の先端面４Ａを水が流れるのが妨げられる。
【００２２】
また、ケーブル１２が変位，変形，振動等すると、これに合わせてケーブルカバー２の蛇腹部３１が軸心方向に伸縮し、又は、径方向に屈曲する。また、重合部４の開閉部４１ａ及び固着部４１ｂが蛇腹部３１の伸縮及び屈曲に合わせて折り畳まれ、又は、広がるように変形する。このため、縮径巻装部３２及び拡径巻装部３３の変形が抑えられ、また、重合部４間に生じる目開きも小さく抑えられる。また、ケーブルカバー２が径方向に屈曲すると、両重合部４の開閉部４１ａ同士の間に目開き６が生じるが、目開き防止突条４５Ａで目開き６が塞がれることから、目開き６から蛇腹部３１内への水の浸入が阻止される。
【００２３】
ケーブル１２及び定着用鋼管１４からケーブルカバー２を取り外す際には、重合部４の固着部４１ｂからボルト及びナットを取り除いて本体３の分割部３Ａを開き、本体３内のケーブル１２及び定着用鋼管１４を両分割部３Ａ間から抜き出す。
【００２４】
本実施形態によれば、両分割部３Ａ間から本体３内にケーブル１２及び定着用鋼管１４を出し入れできることから、ケーブル１２が定着用鋼管１４に挿入された状態で、ケーブルカバー２を交換することができる。このため、ケーブルカバー２の交換にかかる手間を省くことができる。
【００２５】
また、ケーブル１２及び定着用鋼管１４に重合部同士を重ね合わせて装着されるケーブルカバーでは、重合部同士の合わせ目からケーブルカバー内に雨水等が浸入する虞がある。特に、ケーブル１２が変位，変形，振動等するのに合わせてケーブルカバーが変形すると、ケーブル１２及び定着用鋼管１４とケーブルカバーとの間に重合部同士の合わせ目から雨水等が浸入し易くなる。
【００２６】
しかしながら、縮径巻装部３２と拡径巻装部３３との間に蛇腹部３１を設け、ケーブル１２の変位，変形，振動等に合わせて蛇腹部３１が伸縮又は屈曲するよう構成したケーブルカバー２では、縮径巻装部３２及び拡径巻装部３３の変形を抑えることができる。このため、ケーブル１２及び定着用鋼管１４とケーブルカバー２との間に重合部４同士の合わせ目から雨水等が浸入するのを防止できる。また、ケーブル１２の変位，変形，振動等に合わせて変形する際に、ケーブルカバー２にかかる負荷を軽減し、ケーブルカバー２の耐久性を向上させることができる。
【００２７】
また、本実施形態によれば、ケーブル１２に巻装されるケーブルカバー２の縮径端、及び、定着用鋼管１４に巻装されるケーブルカバー２の拡径端の内面に設けられた止水用突起３２ａ，３２ｂで、ケーブルカバー２の外側から内側に雨水等の水が浸入するのを防止できる。このため、定着用鋼管１４への雨水の浸入を効果的に防止できる。
【００２８】
また、本実施形態によれば、重合部４の先端面４Ａに流れてきた雨水等の水を、重合部４の水切り用突起４４から落下させることで、重合部４同士の合わせ目から重合部４の内側に水が浸入するのを防止できる。このため、定着用鋼管１４への雨水の浸入を効果的に防止できる。
【００２９】
また、本実施形態によれば、重合部４同士の合わせ目から重合部４の内側に浸入してきた水の本体３内側への浸入を、目開き防止突条４５で阻止することで、定着用鋼管１４への雨水の浸入を効果的に防止できる。
【００３０】
なお、ケーブルカバー２の形状は任意である。例えば、上記実施形態では、重合部４が本体３の外側に延びていたが、重合部４が本体３の両分割部３Ａから構成されており、両分割部３Ａ同士が本体３の周方向に重ね合わされて、ケーブル１２及び定着用鋼管１４に巻装される構成としても良い。この場合、目開き防止突条４５Ａ及び目開き防止溝４５Ｂは、内側の分割部３Ａの外面、及び、外側の分割部３Ａの内面に設けることができる。また、止水用突条３２ａ，３２ｂの本数は任意である。
【００３１】
また、ケーブル１２及び定着用鋼管１４に交換して装着可能に形成されているのであればよく、本体３が複数組の分割部を備える構成としてもよい。例えば、本体３が筒体の周壁を周方向の複数箇所で縮径端から拡径端にかけて軸心方向に沿って切断した形状を有しており、切断された各分割片の両縁部を分割部としてもよい。この構成では、各分割片の周方向の両縁部を分割部とし、隣り合って配置される分割片の分割部同士を重ね合わせて、ケーブル１２及び定着用鋼管１４に巻装することができる。
【００３２】
また、水切り用突起４４は、縮径側端部４２ａ及び拡径側端部４３ａの何れか一方のみに設けられていてもよい。また、水切り用突起４４の形状は、重合部４の先端面まで移動してきた水を落下させられるのであれば任意である。また、両重合部４の固着部４１ｂ同士の固着方法は任意であり、接着剤等を用いて接着することもできる。また、両固着部４１ｂの内面に支圧板５が埋設されていない構成としてもよい。
【００３３】
また、両重合部４が開閉部４１ａに備える目開き防止突条４５Ａ及び目開き防止溝４５Ｂの本数は任意である。また、両開閉部４１ａの目開き防止突条４５Ａと目開き防止溝４５Ｂとが、互いに噛み合わされるのであれば、目開き防止突条４５Ａ及び目開き防止溝４５Ｂの形状も任意である。また、上記実施形態では、水切り部として水切り用突起４４を用いたが、ケーブルカバー２の外面から水を落下させられるのであれば、水切り部の構成は任意である。
【００３４】
また、上記実施形態では、両重合部４が目開き防止突条４５Ａ及び目開き防止溝４５Ｂを備える場合について説明したが、目開き防止部として一方の開閉部４１ａには目開き防止溝４５Ｂを設け、他方の開閉部４１ａには目開き防止突条４５Ａを設ける構成としてもよい。また、上記実施形態では、斜張橋の斜材ケーブルをケーブルカバー２で被覆した場合について説明したが、本発明のケーブルカバーは、斜張橋，エクストラドーズド橋，アーチ橋，桁橋の斜材ケーブルや外ケーブル及び吊材ケーブル等を被覆するのに用いることができる。
【００３５】
また、ケーブル１２の伸縮，振動，及び回転に追従可能に構成されているのであればよく、例えば、蛇腹部を複数備えていても良い。また、ケーブルカバー２内をシールしてケーブルカバー２内への雨水等の浸入を防止できるのであれば、シール部の構成も任意である。例えば、止水用突条３２ａ，３２ｂのみを備えていても、目開き防止突条４５Ａ及び目開き防止溝４５Ｂのみを備えていてもよい。
【符号の説明】
【００３６】
１１              桁
１２              ケーブル
１４              定着用鋼管（定着部）
２                ケーブルカバー
３                本体
３Ａ              分割部
３１              蛇腹部
３１ａ            拡径部
３１ｂ            縮径部
３２              縮径巻装部
３３              拡径巻装部
３２ａ，３２ｂ    止水用突条（止水用突起）
４                重合部
４Ａ              先端面
４１ａ            開閉部
４１ｂ            固着部
４４              水切り用突起（水切り部）
４２ａ            縮径側端部
４３ａ            拡径側端部
４２ｂ，４３ｂ    挿通孔
４５Ａ            目開き防止突条
４５Ｂ            目開き防止溝
５                支圧板
６                目開き
【図１】
0005843554.tif 000002
【図２】
0005843554.tif 000003
【図３】
0005843554.tif 000004
【図４】
0005843554.tif 000005
【図５】
0005843554.tif 000006
【図６】
0005843554.tif 000007